(57)【要約】【課題】光電変換素子の長手方向と原稿の長手方向とを直交させて画像を読取る場合に、原稿の透孔近傍の読取り画像の劣化を防ぐと共に、原稿画像の読取り性能の向上を図る。【解決手段】光源１７０９からの光がフィルムＦの透孔Ｐを介してライン状光電変換素子１７０４に到達するのを防止する。【選択図】      図１
2005051438.tif 000002
【特許請求の範囲】
【請求項１】
透光性を有するシートの画像読取領域に画像を形成し且つ前記シートの非画像読取領域に位置し且つ前記シートの幅方向両側に位置し且つ長さ方向に亘って複数の透孔を設けて成る原稿を透光性を有する原稿台上に保持する保持手段と、前記原稿台上に保持された前記原稿を上方から照明する照明手段と、前記照明手段により照射された前記原稿を透過した光を光電変換素子に結像させる結像手段とを具備した画像読取装置により画像を読取る画像読取方法であって、
前記照明手段からの光が前記原稿の透孔を介して前記光電変換素子に到達するのを防止するようにして画像を読取ることを特徴とする画像読取方法。
【請求項２】
透光性を有するシートの画像読取領域に画像を形成し且つ前記シートの非画像読取領域に位置し且つ前記シートの幅方向両側に位置し且つ長さ方向に亘って複数の透孔を設けて成る原稿を透光性を有する原稿台上に保持する保持手段と、前記原稿台上に保持された前記原稿を上方から照明する照明手段と、前記照明手段の光を前記原稿へ均一に拡散させるための拡散板と、前記照明手段により前記拡散板を介して照射された前記原稿を透過した光を光電変換素子に結像させる結像手段とを具備した画像読取装置において、
前記照明手段からの光が前記原稿の透孔を介して前記光電変換素子に到達するのを防止する防止手段を設けたことを特徴とする画像読取装置。
【請求項３】
前記防止手段は、前記拡散板の幅を前記原稿の幅方向における透孔列相互間の距離より短く設定することにより、前記照明手段からの光が前記原稿の透孔を介して前記光電変換素子に到達するのを防止するように構成したことを特徴とする請求項２記載の画像読取装置。
【請求項４】
前記防止手段は、前記原稿の幅方向における透孔列相互間の距離より短い幅の透光部を有する遮光部材を設けることにより、前記照明手段からの光が前記原稿の透孔を介して前記光電変換素子に到達するのを防止するように構成したことを特徴とする請求項２記載の画像読取装置。
【請求項５】
前記遮光部材を前記拡散板と前記原稿との間に設けたことを特徴とする請求項４記載の画像読取装置。
【請求項６】
前記遮光部材を前記原稿の下に設けたことを特徴とする請求項４記載の画像読取装置。
【請求項７】
前記防止手段は、前記拡散板を保持するための保持部が前記原稿の透孔を覆うことにより、前記照明手段からの光が前記原稿の透孔を介して前記光電変換素子に到達するのを防止するように構成したことを特徴とする請求項２記載の画像読取装置。
【請求項８】
前記防止手段は、前記保持手段の一部が前記原稿の透孔を覆うことにより、前記照明手段からの光が前記原稿の透孔を介して前記光電変換素子に到達するのを防止するように構成したことを特徴とする請求項２記載の画像読取装置。
【発明の詳細な説明】
【０００１】
【発明の属する技術分野】
本発明は、透光性を有するシートの画像読取領域に画像を形成し且つ前記シートの非画像読取領域に位置し且つ前記シートの幅方向両側に位置し且つ長さ方向に亘って列状に複数の送り用の透孔を設けて成る原稿の画像を読取るための画像処理方法及び装置に関する。
【０００２】
【従来の技術】
一般に、画像読取装置（以下、イメージスキャナと記述する。）は、原稿台ガラスに載置した原稿に光を照射して、得られた反射光、または透過光を、レンズ等を用いて、画像センサ、または感光体上に結像させることで、画像を読取っている。
【０００３】
また、近年、コンシューマ向けイメージスキャナには、このイメージスキャナを小型化するために、ロッドレンズアレイを用いたコンタクトイメージセンサ（以下、ＣＩＳと記述する。）を用いることが多い。
【０００４】
更に、原稿台ガラス上の透光性を有する原稿（以下、フィルムと記述する。）に、このフィルムの上方から光を照射することで、フィルムの画像読取りが可能となるＣＩＳを装備したイメージスキャナの開発が行われている（特許文献１参照）。
【０００５】
以下、従来のＣＩＳを装備したイメージスキャナによりフィルムの画像を読取る方法について、図１７〜図２４を用いて説明する。
【０００６】
図１７は従来のイメージスキャナの概略構成を示す一部を切り欠いた側面図、図１８はフィルム読取用装置（以下、ＦＡＵと記述する。）の概略構成を示す平面図、図１９は図１８のＡ矢視図、図２０は図１８のＢ矢視図、図２１はＦＡＵの光源部の概略構成を示す側断面図、図２２は図２１のＣ−Ｃ断面図、図２３はＦＡＵの光源部の概略構成を示す底面図、図２４はフィルムの一部を示す平面図である。
【０００７】
図１７において、１７００はイメージスキャナで、原稿台ガラス１７０１上に載置されたフィルム（原稿）Ｆを読取るために原稿台ガラス１７０１に沿って走査するＣＩＳ１７０２を有しており、このＣＩＳ１７０２には、反射原稿用光源体（不図示）、ロッドレンズアレイ（結像手段）１７０３、ライン状光電変換素子１７０４が配設されている。
【０００８】
図１７〜図２０において、１７０５はＦＡＵで、光源部１７０６とフィルムホルダ１７０７とから構成される。光源部１７０６は、図２１〜図２３に示すように、筐体１７０８の内部に設けられた光源１７０９と、筐体１７０８の下面開口部を閉塞するように設けられた拡散板１７１０とを有している。拡散板は、光源１７０９からの光をフィルムＦへ均一に拡散させるものである。
【０００９】
フィルムホルダ１７０７は、フィルムＦと光源部１７０６との位置決めを行うための位置決め部材であり、図１８に示すように、光源１７０９からの光をライン状光電変換素子１７０４まで導くための開口部１７０７ａが、幅方向中央部で且つ長手方向に沿って設けられている。
【００１０】
フィルムＦを読取る場合、図１７に示すように、イメージスキャナ１７００の原稿台ガラス１７０１上にフィルムホルダ１７０７を載置し、このフィルムホルダ１７０７にフィルムＦを配置する。そして、光源部１７０６をフィルムホルダ１７０７上に配設して、この光源部１７０６からフィルムＦへ光を照射し、ＣＩＳ１７０２を原稿台ガラス１７０１に沿って走査することで、ロッドレンズアレイ１７０３を通じてライン状光電変換素子１７０４に結像した画像を読取る。
【００１１】
フィルムＦには、図２４に示すように、読取画像領域Ｆａ（図２４の二点鎖線部）と非読取画像領域Ｆｂとがあり、３５ｍｍフィルムの場合、非読取画像領域Ｆｂに位置し且つフィルムＦの幅方向両側に位置し且つフィルムＦの長手方向に亘って列状に複数の透孔（以下、パーフォレーションと記述する。）Ｐが設けられている。このパーフォレーションＰには、カメラに設けられた送り用歯車が係合し、フィルムＦが順次送られるようになっている。
【００１２】
ここで、フィルムＦにおける幅方向（短手方向）一側のパーフォレーションＰと他側のパーフォレーションＰとの相互間隔をｌと定義する。
【００１３】
また、フィルムＦとライン状光電変換素子１７０４との位置関係で読取り画像が劣化することがある。
【００１４】
この読取り画像の劣化について、図２５〜図３０を用いて説明する。
【００１５】
図２５はフィルムＦの長手方向とライン状光電変換素子１７０４の長手方向とを一致させた場合のイメージスキャナ１７００の概略平面図、図２６は図２５のフィルムＦ部分の拡大図、図２７は図２６のＤ−Ｄ断面図、図２８はフィルムＦの長手方向とライン状光電変換素子１７０４の長手方向とを直交させた場合のイメージスキャナ１７００の概略平面図、図２９は図２８のフィルムＦ部分の拡大図、図３０は図２６のＥ−Ｅ断面図である。
【００１６】
フィルムＦの長手方向とライン状光電変換素子１７０４の長手方向とを一致させてフィルムＦの画像を読取る場合（図２５及び図２６の二点鎖線２５００）、読取り画像領域Ｆａの近傍も含め光源１７０９からの光は、図２７に示すように一様にフィルムＦを通過してライン状光電変換素子１７０４まで到達するので、読取り画像に悪影響を与えることがない。
【００１７】
しかし、フィルムＦの長手方向とライン状光電変換素子１７０４の長手方向とを直交させてフィルムＦの画像を読取る場合（図２８及び図２９の二点鎖線２８００）、光源１７０９からの光は、図３０に示すように、非読取画像領域ＦｂのパーフォレーションＰから直接入光し、高レベルの直接光がロッドレンズアレイ１７０３等に入射する時の拡散光がライン状光電変換素子１７０４に到達し、その結果、パーフォレーションＰ近傍の読取り画像に悪影響を与える場合がある。
【００１８】
【特許文献１】
特開平０６−１５２８７８号公報
【００１９】
【発明が解決しようとする課題】
しかしながら、上記従来のコンシューマ向けのイメージスキャナ１７００に使われるライン状光電変換素子１７０４は全長が２２０ｍｍ程度であるが、一つのセンサチップから構成されているのではなく、３０ｍｍ〜４０ｍｍ程度のセンサチップを複数個ライン状に並べて構成されている。
【００２０】
そこで、複数個のセンサチップをライン状に並べる際に、組立精度の問題で各センサチップがミクロンオーダーで直線にならず、チップ間段差と言われる画像劣化が生じるという問題点があった。また、フィルムＦの画像を読取る場合、１００％（原寸）以上の読取り倍率で画像を読取ることが多く、チップ間段差による画像劣化が強調されるという問題点があった。
【００２１】
一方、フィルムの画像読取り時におけるチップ間段差による画像劣化を解消する方法として、画像センサの長手方向とフィルムの長手方向とを直交させる方法が提案されているが、画像センサの長手方向とフィルムの長手方向とを直交させると、パーフォレーションＰからの直接光の影響により画像が劣化するという問題点があった。
【００２２】
そこで、本発明は、原稿の透孔（パーフォレーション）近傍の読取り画像の劣化を防ぎ、原稿画像の読取り性能を向上させることを目的とする。
【００２３】
【課題を解決するための手段】
上記目的を達成するために、本発明の画像処理方法は、透光性を有するシートの画像読取領域に画像を形成し且つ前記シートの非画像読取領域に位置し且つ前記シートの幅方向両側に位置し且つ長さ方向に亘って複数の透孔を設けて成る原稿を透光性を有する原稿台上に保持する保持手段と、前記原稿台上に載置保持された前記原稿を上方から照明する照明手段と、前記照明手段により照射された前記原稿からの透過光を光電変換素子に結像させる結像手段とを具備した画像読取装置により画像を読取る画像読取方法であって、前記照明手段からの光が前記原稿の透孔を介して前記光電変換素子に到達するのを防止するようにして画像を読取ることを特徴とする。
【００２４】
また、上記目的を達成するために、本発明の画像処理装置は、透光性を有するシートの画像読取領域に画像を形成し且つ前記シートの非画像読取領域に位置し且つ前記シートの幅方向両側に位置し且つ長さ方向に亘って複数の透孔を設けて成る原稿を透光性を有する原稿台上に保持する保持手段と、前記原稿台上に保持された前記原稿を上方から照明する照明手段と、前記照明手段からの光を前記原稿へ均一に拡散させるための拡散板と、前記照明手段により前記拡散板を介して照射された前記原稿を透過した光を光電変換素子に結像させる結像手段とを具備した画像読取装置において、前記照明手段からの光が前記原稿の透孔を介して前記光電変換素子に到達するのを防止する防止手段を設けたことを特徴とする。
【００２５】
【発明の実施の形態】
本発明の画像読取方法及び装置の実施の形態について、図１〜図１６を参照しながら説明する。
【００２６】
本発明の要旨は、照明手段からの光が原稿の透孔を介して光電変換素子に到達するのを防止したことである。
【００２７】
［第１実施の形態］
まず、本発明の第１実施の形態について、図１に基づき説明する。
【００２８】
図１は、第１実施の形態に係る画像読取装置における要部構成を示す断面図であり、同図において、上述した従来例の図１７〜図２７と同一部分には、同一符号が付してある。
【００２９】
なお、図１において、原稿であるフィルムＦは誇張して描いてある。また、図１においては、フィルムＦと光源部１７０６の下面との間に隙間があるが、実際には、フィルムＦと光源部１７０６の下面とは互いに密着した状態でフィルムホルダ１７０７に配置される。
【００３０】
本実施の形態では、図１に示すように、拡散板１７１０の幅Ｌ１を、フィルムＦの幅方向両側のパーフォレーションＰ、Ｐ相互間の距離ｌより小さく（Ｌ１＜ｌ）設定したことにより、筐体１７０８の底面側の一部１７０８ａによりフィルムＦのパーフォレーションＰ、Ｐが覆われた状態となり、これにより、光源１７０９からの光がフィルムＦのパーフォレーションＰ、Ｐを介して直接ライン状光電変換素子１７０４に到達しないので、読取画像が劣化しない。
【００３１】
［第２実施の形態］
次に、本発明の第２実施の形態について、図２〜図９に基づき説明する。
【００３２】
第２実施の形態では、拡散板１７１０の幅ＬがフィルムＦの幅方向両側のパーフォレーションＰ、Ｐ相互間の距離ｌより大きい（Ｌ＞ｌ）場合に対応するようにしたもので、板材から成る遮光部材によりフィルムＦのパーフォレーションＰ、Ｐを覆い、これにより、光源１７０９からの光がフィルムＦのパーフォレーションＰを介して直接ライン状光電変換素子１７０４に到達しないようにした場合を示す。
【００３３】
図２は、第２実施の形態に係る画像読取装置における光源部の構成を示す側面図、図３は図２のＧ矢視図、図４は図２のＨ矢視図であり、これら各図において、上述した従来例の図１７〜図２７と同一部分には、同一符号が付してある。
【００３４】
図５は第２実施の形態に係る画像読取装置に用いる遮光部材の構成を示す平面図、図６は図５のＪ−Ｊ断面図である。
【００３５】
図５及び図６において、６０１は方形板材から成る遮光部材で、その平面形状が光源部１７０６の筐体１７０８の平面形状と同一に設定されている。遮光部材６０１は、その中央部に長方形状の開口部６０１ａを有する方形枠状をなしている。この開口部６０１ａの幅Ｌ２は、フィルムＦの幅方向両側のパーフォレーションＰ、Ｐ相互間の距離ｌより小さく（Ｌ２＜ｌ）設定してある。
【００３６】
図７は光源部１７０６の筐体１７０８の下面に遮光部材６０１を取り付けた状態の側面図、図８は図７のＫ矢視図であり、これら両図において、図２〜図６と同一部分には、同一符号が付してある。
【００３７】
図７及び図８に示すように、遮光部材６０１を光源部１７０６の筐体１７０８の下面に取り付けたことにより、拡散板１７１０はフィルムＦの幅方向両側のパーフォレーションＰ、Ｐ相互間の距離ｌより小さい幅Ｌ２の開口部６０１ａから表出する状態となる。
【００３８】
図９は第２実施の形態に係る画像読取装置における要部構成を示す断面図であり、同図において、上述した従来例の図１７〜図２７及び図２〜図８と同一部分には、同一符号が付してある。
【００３９】
なお、図９においては、原稿であるフィルムＦは誇張して描いてある。また、図９においては、フィルムＦと光源部１７０６の下面の遮光部材６０１との間に隙間があるが、実際には、フィルムＦと遮光部材６０１とは互いに密着した状態でフィルムホルダ１７０７に配置される。
【００４０】
図９に示すように、フィルムＦと拡散板１７１０との間に遮光部材６０１が介在する状態となり、遮光部材６０１によりフィルムＦの幅方向両側のパーフォレーションＰ、Ｐが覆われた状態となっている。
【００４１】
本実施の形態では、図９に示すように、フィルムＦと拡散板１７１０との間に遮光部材６０１が介在し、遮光部材６０１によりフィルムＦの幅方向両側のパーフォレーションＰ、Ｐが覆われた状態となり、これにより、光源１７０９からの光がフィルムＦのパーフォレーションＰ、Ｐを介して直接ライン状光電変換素子１７０４に到達しないので、読取画像が劣化しない。
【００４２】
［第３実施の形態］
次に、本発明の第３実施の形態について、図１０に基づき説明する。
【００４３】
第３実施の形態では、上述した第２実施の形態と同様、拡散板１７１０の幅ＬがフィルムＦの幅方向両側のパーフォレーションＰ、Ｐ相互間の距離ｌより大きい（Ｌ＞ｌ）場合に対応するようにしたもので、拡散板１７１０を保持する保持部によりフィルムＦのパーフォレーションＰ、Ｐを覆い、これにより、光源１７０９からの光がフィルムＦのパーフォレーションＰを介して直接ライン状光電変換素子１７０４に到達しないようにした場合を示す。
【００４４】
図１０は、第３実施の形態に係る画像読取装置の要部構成を示す断面図であり、同図において、上述した従来例の図１７〜図２７と同一部分には、同一符号が付してある。
【００４５】
なお、図１０においては、原稿であるフィルムＦは誇張して描いてある。また、図１０においては、フィルムＦと光源部１７０６の下面との間に隙間があるが、実際には、フィルムＦと光源部１７０６の下面とは互いに密着した状態でフィルムホルダ１７０７に配置される。
【００４６】
図１０に示すように、拡散板１７１０の両側部は、光源部１７０６の筐体１７０８の下面両側に位置し且つ内側に向かって間隔Ｌ３を存して対向するように設けた保持部１７０８ａ，１７０８ｂの上に保持固定されている。これら保持部１７０８ａ，１７０８ｂ相互間隔Ｌ３は、図１０に示すように、フィルムＦの幅方向両側のパーフォレーションＰ、Ｐ相互間の距離ｌより小さく（Ｌ３＜ｌ）設定されている。
【００４７】
図１０に示すように、光源部１７０６の筐体１７０８の下面両側に設けた保持部１７０８ａ，１７０８ｂにより、フィルムＦの幅方向両側のパーフォレーションＰ、Ｐが覆われた状態となっている。
【００４８】
本実施の形態では、図１０に示すように、拡散板１７１０を保持するために光源部１７０６の筐体１７０８の下面両側に設けた保持部１７０８ａ，１７０８ｂにより、フィルムＦの幅方向両側のパーフォレーションＰ、Ｐが覆われた状態となり、これにより、光源１７０９からの光がフィルムＦのパーフォレーションＰ、Ｐを介して直接ライン状光電変換素子１７０４に到達しないので、読取画像が劣化しない。
【００４９】
本実施の形態によれば、拡散板１７１０を保持する保持部１７０８ａ，１７０８ｂにより、光源１７０９からの光がフィルムＦのパーフォレーションＰ、Ｐを介して直接ライン状光電変換素子１７０４に到達するのを防止する構成としたので、上述した第２実施の形態における遮光部材のような防止専用部材を格別設けることなく、読取画像の劣化を防ぐことができる。
【００５０】
［第４実施の形態］
次に、本発明の第４実施の形態について、図１１〜図１４に基づき説明する。
【００５１】
第４実施の形態では、上述した第２及び第３実施の形態と同様に、拡散板１７１０の幅ＬがフィルムＦの幅方向両側のパーフォレーションＰ、Ｐ相互間の距離ｌより大きい（Ｌ＞ｌ）場合に対応するようにしたもので、シート材から成る遮光部材によりフィルムＦのパーフォレーションＰ、Ｐを覆い、これにより、光源１７０９からの光がフィルムＦのパーフォレーションＰを介して直接ライン状光電変換素子１７０４に到達しないようにした場合を示す。
【００５２】
図１１は、第４実施の形態に係る画像読取装置に用いるシート状の遮光部材の構成を示す平面図、図１２は図１１のＭ−Ｍ断面図である。
【００５３】
図１１及び図１２において、１１０１は方形シート材から成る遮光部材で、その平面形状が光源部１７０６の筐体１７０８の平面形状より若干小さい相似形状に設定されている。遮光部材１１０１は、その中央部に長方形状の開口部１１０１ａを有する方形枠状をなしている。この開口部１１０１ａの幅Ｌ４は、フィルムＦの幅方向両側のパーフォレーションＰ、Ｐ相互間の距離ｌより小さく（Ｌ４＜ｌ）設定してある。
【００５４】
図１３は第４実施の形態に係る画像読取装置の要部断面図であり、同図において、上述した従来例の図１７〜図２７と同一部分には、同一符号が付してある。
【００５５】
なお、図１３においては、原稿であるフィルムＦは誇張して描いてある。また、図１３においては、光源部１７０６の下面と遮光部材１１０１との間及びフィルムＦと遮光部材１１０１との間にそれぞれ隙間があるが、実際には、光源部１７０６の下面と遮光部材１１０１及びフィルムＦと遮光部材１１０１とは互いに密着した状態でフィルムホルダ１７０７に配置される。
【００５６】
図１３に示すように、フィルムＦの画像を読取る際に、遮光部材１１０１は、光源部１７０６の下面である拡散板１７１０とフィルムＦとの間に介在させて用いる。
【００５７】
図１３に示すように、フィルムＦと拡散板１７１０との間に遮光部材１１０１が介在する状態となり、遮光部材１１０１によりフィルムＦの幅方向両側のパーフォレーションＰ、Ｐが覆われた状態となっている。
【００５８】
本実施の形態では、図１３に示すように、フィルムＦと拡散板１７１０との間に遮光部材１１０１が介在し、遮光部材１１０１によりフィルムＦの幅方向両側のパーフォレーションＰ、Ｐが覆われた状態となり、これにより、光源１７０９からの光がフィルムＦのパーフォレーションＰ、Ｐを介して直接ライン状光電変換素子１７０４に到達しないので、読取画像が劣化しない。
【００５９】
本実施の形態においては、図１４に示すように、遮光部材１１０１をフィルムＦの下側に介在させても、同様の効果を得ることが可能である。
【００６０】
なお、図１４において、図１３と同一部分には同一符号が付してある。
【００６１】
［第５実施の形態］
次に、本発明の第５実施の形態について、図１５及び図１６に基づき説明する。
【００６２】
第５実施の形態では、上述した第２〜第４実施の形態と同様、拡散板１７１０の幅ＬがフィルムＦの幅方向両側のパーフォレーションＰ、Ｐ相互間の距離ｌより大きい（Ｌ＞ｌ）場合に対応するようにしたもので、フィルムホルダの一部によりフィルムＦのパーフォレーションＰ、Ｐを覆い、これにより、光源１７０９からの光がフィルムＦのパーフォレーションＰを介して直接ライン状光電変換素子１７０４に到達しないようにした場合を示す。
【００６３】
図１５は、第５実施の形態に係る画像読取装置の要部構成を示す平面図、図１６は図１５のＮ−Ｎ断面図であり、両図において、上述した従来例の図１７〜図２７と同一部分には、同一符号が付してある。
【００６４】
なお、図１６においては、原稿であるフィルムＦは誇張して描いてある。また、図１６においては、光源部１７０６の下面とフィルムホルダ１７０７の保持部１７０７ｂ，１７０７ｃとの間に隙間があるが、実際には、光源部１７０６の下面（拡散板１７０１下面）は、保持部１７０７ｂ，１７０７ｃに密着した状態でフィルムホルダ１７０７に配置される。
【００６５】
図１５及び図１６に示すように、フィルムホルダ１７０７の幅方向（短手方向）両側に位置し且つ内側に向かって間隔Ｌ５を存して対向するように保持部１７０７ｂ，１７０７ｃが設けられている。これら保持部１７０７ｂ，１７０７ｃの相互間隔Ｌ５は、図１６に示すように、フィルムＦの幅方向両側のパーフォレーションＰ、Ｐ相互間の距離ｌより小さく（Ｌ５＜ｌ）設定されている。
【００６６】
図１６に示すように、フィルムＦはフィルムホルダ１７０７の下面壁と保持部１７０７ｂ，１７０７ｃとの間に挿入された状態でフィルムホルダ１７０７に保持されて、この状態においては、保持部１７０７ｂ，１７０７ｃにより、フィルムＦの幅方向両側のパーフォレーションＰ、Ｐが覆われた状態となっている。
【００６７】
本実施の形態では、図１６に示すように、フィルムＦを保持するためにフィルムホルダ１７０７の上部両側に設けた保持部１７０７ｂ，１７０７ｃにより、フィルムＦの幅方向両側のパーフォレーションＰ、Ｐが覆われた状態となり、これにより、光源１７０９からの光がフィルムＦのパーフォレーションＰ、Ｐを介して直接ライン状光電変換素子１７０４に到達しないので、読取画像が劣化しない。
【００６８】
本実施の形態によれば、フィルムＦを保持する保持部１７０７ｂ，１７０７ｃにより、光源１７０９からの光がフィルムＦのパーフォレーションＰ、Ｐを介して直接ライン状光電変換素子１７０４に到達するのを防止する構成としたので、上述した第２実施の形態における遮光部材のような防止専用部材を格別設けることなく、読取画像の劣化を防ぐことができる。
【００６９】
上記の説明の図面では、フィルムホルダ１７０７の開口部１７０７ａを、フィルムＦの幅より小さく示しているが、フィルムＦよりもわずかに大きい開口部で、フィルムＦの端部が直接原稿台ガラス１７０１に接する構成とすることもできる。
【００７０】
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【００７１】
【発明の効果】
本発明によれば、照明手段からの光が前記原稿の透孔を介して前記光電変換素子に到達するのを防止するようにしたので、光電変換素子の長手方向と原稿の長手方向とを直交させて画像を読取る場合に、原稿の透孔近傍の読取り画像の劣化を防ぐことができると共に、原稿画像の読取り性能の向上を図ることができる。
【図面の簡単な説明】
【図１】本発明の第１実施の形態に係る画像読取装置の要部断面図である。
【図２】本発明の第２実施の形態に係る画像読取装置の光源部の構成を示す側面図である。
【図３】図２のＧ矢視図である。
【図４】図２のＨ矢視図である。
【図５】本発明の第２実施の形態に係る画像読取装置に用いる遮光部材の平面図である。
【図６】図５のＪ−Ｊ断面図である。
【図７】本発明の第２実施の形態に係る画像読取装置の光源部に遮光部材を取り付けた状態の側面図である。
【図８】図７のＫ矢視図である。
【図９】本発明の第２実施の形態に係る画像読取装置の要部断面図である。
【図１０】本発明の第３実施の形態に係る画像読取装置の要部断面図である。
【図１１】本発明の第４実施の形態に係る画像読取装置に用いる遮光部材の平面図である。
【図１２】図１１のＭ−Ｍ断面図である。
【図１３】本発明の第４実施の形態に係る画像読取装置の要部断面図である。
【図１４】本発明の第４実施の形態に係る画像読取装置の図１３とは異なる状態の要部断面図である。
【図１５】本発明の第５実施の形態に係る画像読取装置の要部平面図である。
【図１６】本発明の第５実施の形態に係る画像読取装置の要部断面図である。
【図１７】従来の画像読取装置の構成を示す側面図である。
【図１８】従来の画像読取装置のフィルム読取り用装置の構成を示す平面図である。
【図１９】図１８のＡ矢視図である。
【図２０】図１８のＢ矢視図である。
【図２１】従来の画像読取装置における光源部の構成を示す側断面図である。
【図２２】図２１のＣ−Ｃ断面図である。
【図２３】従来の画像読取装置における光源部の構成を示す底面図である。
【図２４】従来の画像読取装置により読取られる原稿であるフィルムの一部拡大平面図である。
【図２５】従来の画像読取装置においてフィルムの長手方向とライン状光電変換素子の長手方向とを一致させた状態の要部平面図である。
【図２６】図２５のフィルム部分の拡大図である。
【図２７】図２６のＤ−Ｄ断面図である。
【図２８】従来の画像読取装置においてフィルムの長手方向とライン状光電変換素子の長手方向とを直交させた状態の要部平面図である。
【図２９】図２８のフィルム部分の拡大図である。
【図３０】図２９のＥ−Ｅ断面図である。
【符号の説明】
Ｆ          フィルム（原稿）
Ｆａ        読取画像領域
Ｆｂ        非読取画像領域
Ｐ          パーフォレーション（透孔）
６０１      遮光部材
６０１ａ    開口部（透光部）
１１０１    遮光部材
１１０１ａ  開口部（透光部）
１７００    イメージスキャナ（画像読取装置）
１７０１    原稿台ガラス（透光性の原稿台）
１７０２    ＣＩＳ
１７０３    ロッドレンズアレイ（結像手段）
１７０４    ライン状光電変換素子（光電変換素子）
１７０５    フィルム読取用装置（ＦＡＵ）
１７０６    光源部
１７０７    フィルムホルダ
１７０７ａ  開口部
１７０７ｂ  保持部
１７０７ｃ  保持部
１７０８    筐体
１７０８ａ  筐体の底面側の一部
１７０９    光源
１７１０    拡散板
【図１】
2005051438.tif 000003
【図２】
2005051438.tif 000004
【図３】
2005051438.tif 000005
【図４】
2005051438.tif 000006
【図５】
2005051438.tif 000007
【図６】
2005051438.tif 000008
【図７】
2005051438.tif 000009
【図８】
2005051438.tif 000010
【図９】
2005051438.tif 000011
【図１０】
2005051438.tif 000012
【図１１】
2005051438.tif 000013
【図１２】
2005051438.tif 000014
【図１３】
2005051438.tif 000015
【図１４】
2005051438.tif 000016
【図１５】
2005051438.tif 000017
【図１６】
2005051438.tif 000018
【図１７】
2005051438.tif 000019
【図１８】
2005051438.tif 000020
【図１９】
2005051438.tif 000021
【図２０】
2005051438.tif 000022
【図２１】
2005051438.tif 000023
【図２２】
2005051438.tif 000024
【図２３】
2005051438.tif 000025
【図２４】
2005051438.tif 000026
【図２５】
2005051438.tif 000027
【図２６】
2005051438.tif 000028
【図２７】
2005051438.tif 000029
【図２８】
2005051438.tif 000030
【図２９】
2005051438.tif 000031
【図３０】
2005051438.tif 000032